【手続補正書】
【提出日】平成18年7月18日(2006.7.18)
【手続補正１】
【補正対象書類名】明細書
【補正対象項目名】特許請求の範囲
【補正方法】変更
【補正の内容】
【特許請求の範囲】
【請求項１】 ページ毎に配置されるオブジェクトをオブジェクトテーブルで管理するオブジェクト管理装置であって、
前記オブジェクトにＩＤを付与するＩＤ付与手段と、
前記ＩＤが付与されたオブジェクトのフォーマットを記憶するフォーマット記憶手段と、
前記ＩＤが付与されたオブジェクトに対応するオブジェクトデータのアドレスを記憶するアドレス記憶手段と、
前記付与されたオブジェクトＩＤと、前記オブジェクトＩＤが付与されたオブジェクトに対応する前記記憶されたオブジェクトデータのアドレスと、を対応付けて前記オブジェクトテーブルへ登録するオブジェクト登録手段と、
前記記憶されるフォーマットにおけるオブジェクトの属性を、他のページに配置されたオブジェクトと独立であることを示す独立属性、及び他のページに配置されたオブジェクトと共通であることを示す共通属性のいずれか一方に設定するオブジェクト属性設定手段とを有し、
前記オブジェクト属性設定手段により共通属性が設定された場合、前記ＩＤ付与手段は、該オブジェクトから派生するセカンダリオブジェクトにＩＤを付与し、前記オブジェクト登録手段は、前記セカンダリオブジェクトＩＤと、前記セカンダリオブジェクトＩＤが付与されたセカンダリオブジェクトの派生元オブジェクトに対応するオブジェクトデータのアドレスと、を対応付けて前記オブジェクトテーブルへ登録することを特徴とするオブジェクト管理装置。
【請求項２】 表示されたページに含まれる前記オブジェクトを編集するオブジェクト編集手段をさらに有し、
前記オブジェクト編集手段は、前記オブジェクト属性設定手段により共通属性が設定された任意のオブジェクトを編集する場合、前記記憶された該オブジェクトに対応するオブジェクトデータのアドレスへアクセスし、該オブジェクトデータを編集することを特徴とする請求項１に記載のオブジェクト管理装置。
【請求項３】 前記フォーマット記憶手段により記憶されるオブジェクトの属性は、少なくとも該オブジェクトの外形に関する属性及び位置に関する属性のいずれか一つを含み、前記オブジェクト属性設定手段は、前記外形に関する属性又は前記位置に関する属性を個別に共通属性及び独立属性のいずれか一方に設定することを特徴とする請求項１又は２に記載のオブジェクト管理装置。
【請求項４】 前記オブジェクト編集手段により編集される前記オブジェクトの属性を共通属性から独立属性に変更する場合、オブジェクト属性設定手段は、該編集オブジェクトの属性を独立属性に変更し、他のオブジェクトの属性を独立属性及び共通属性のいずれか一方に変更することを特徴とする請求項１乃至３のいずれか１項に記載のオブジェクト管理装置。
【請求項５】 前記オブジェクト属性設定手段により独立属性及び共通属性のいずれか一方に設定されたオブジェクトを、使用者が識別可能に表示するオブジェクト識別表示手段をさらに有することを特徴とする請求項１乃至４のいずれか１項に記載のオブジェクト管理装置。
【請求項６】  文書を構成するテキスト、罫線、図形、画像などのオブジェクトを編集して文書を作成する文書作成装置に適用されたことを特徴とする請求項１乃至５のいずれか１項に記載のオブジェクト管理装置。
【請求項７】  帳票を構成する罫線、表題、項目、見出しなどのオブジェクトを編集して帳票を作成する帳票作成装置に適用されたことを特徴とする請求項１乃至６のいずれか１項に記載のオブジェクト管理装置。
【請求項８】 ページ毎に配置されるオブジェクトをオブジェクトテーブルで管理するオブジェクト管理方法であって、
前記オブジェクトにＩＤを付与するＩＤ付与工程と、
前記ＩＤが付与されたオブジェクトのフォーマットを記憶するフォーマット記憶工程と、
前記ＩＤが付与されたオブジェクトに対応するオブジェクトデータのアドレスを記憶するアドレス記憶工程と、
前記付与されたオブジェクトＩＤと、前記オブジェクトＩＤが付与されたオブジェクトに対応する前記記憶されたオブジェクトデータのアドレスと、を対応付けて前記オブジェクトテーブルへ登録するオブジェクト登録工程と、
前記記憶されるフォーマットにおけるオブジェクトの属性を、他のページに配置されたオブジェクトと独立であることを示す独立属性、及び他のページに配置されたオブジェクトと共通であることを示す共通属性のいずれか一方に設定するオブジェクト属性設定工程とを有し、
前記オブジェクト属性設定工程により共通属性が設定された場合、前記ＩＤ付与工程は、該オブジェクトから派生するセカンダリオブジェクトにＩＤを付与し、前記オブジェクト登録工程は、前記セカンダリオブジェクトＩＤと、前記セカンダリオブジェクトＩＤが付与されたセカンダリオブジェクトの派生元オブジェクトに対応するオブジェクトデータのアドレスと、を対応付けて前記オブジェクトテーブルへ登録することを特徴とするオブジェクト管理方法。
【請求項９】 請求項８に記載のオブジェクト管理方法をコンピュータに実行させるためのプログラムを記録したコンピュータ読み取り可能な記録媒体。
【手続補正２】
【補正対象書類名】明細書
【補正対象項目名】００２４
【補正方法】変更
【補正の内容】
【００２４】
【課題を解決するための手段】
上記目的を達成するために、本発明の請求項１に記載のオブジェクト管理装置は、ページ毎に配置されるオブジェクトをオブジェクトテーブルで管理するオブジェクト管理装置であって、前記オブジェクトにＩＤを付与するＩＤ付与手段と、前記ＩＤが付与されたオブジェクトのフォーマットを記憶するフォーマット記憶手段と、前記ＩＤが付与されたオブジェクトに対応するオブジェクトデータのアドレスを記憶するアドレス記憶手段と、前記付与されたオブジェクトＩＤと、前記オブジェクトＩＤが付与されたオブジェクトに対応する前記記憶されたオブジェクトデータのアドレスと、を対応付けて前記オブジェクトテーブルへ登録するオブジェクト登録手段と、前記記憶されるフォーマットにおけるオブジェクトの属性を、他のページに配置されたオブジェクトと独立であることを示す独立属性、及び他のページに配置されたオブジェクトと共通であることを示す共通属性のいずれか一方に設定するオブジェクト属性設定手段とを有し、前記オブジェクト属性設定手段により共通属性が設定された場合、前記ＩＤ付与手段は、該オブジェクトから派生するセカンダリオブジェクトにＩＤを付与し、前記オブジェクト登録手段は、前記セカンダリオブジェクトＩＤと、前記セカンダリオブジェクトＩＤが付与されたセカンダリオブジェクトの派生元オブジェクトに対応するオブジェクトデータのアドレスと、を対応付けて前記オブジェクトテーブルへ登録することを特徴とする。
請求項２に記載のオブジェクト管理装置は、請求項１に記載のオブジェクト管理装置において、表示されたページに含まれる前記オブジェクトを編集するオブジェクト編集手段をさらに有し、前記オブジェクト編集手段は、前記オブジェクト属性設定手段により共通属性が設定された任意のオブジェクトを編集する場合、前記記憶された該オブジェクトに対応するオブジェクトデータのアドレスへアクセスし、該オブジェクトデータを編集することを特徴とする。
請求項３に記載のオブジェクト管理装置は、請求項１又は２に記載のオブジェクト管理装置において、前記フォーマット記憶手段により記憶されるオブジェクトの属性は、少なくとも該オブジェクトの外形に関する属性及び位置に関する属性のいずれか一つを含み、前記オブジェクト属性設定手段は、前記外形に関する属性又は前記位置に関する属性を個別に共通属性及び独立属性のいずれか一方に設定することを特徴とする。
請求項４に記載のオブジェクト管理装置は、請求項１乃至３のいずれか１項に記載のオブジェクト管理装置において、前記オブジェクト編集手段により編集される前記オブジェクトの属性を共通属性から独立属性に変更する場合、オブジェクト属性設定手段は、該編集オブジェクトの属性を独立属性に変更し、他のオブジェクトの属性を独立属性及び共通属性のいずれか一方に変更することを特徴とする。
請求項５に記載のオブジェクト管理装置は、請求項１乃至４のいずれか１項に記載のオブジェクト管理装置において、前記オブジェクト属性設定手段により独立属性及び共通属性のいずれか一方に設定されたオブジェクトを、使用者が識別可能に表示するオブジェクト識別表示手段をさらに有することを特徴とする。
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】変更
【補正の内容】
【００３１】
請求項６に記載のオブジェクト管理装置は、請求項１乃至５のいずれか１項に記載のオブジェクト管理装置において、文書を構成するテキスト、罫線、図形、画像などのオブジェクトを編集して文書を作成する文書作成装置に適用されたことを特徴とする。
【手続補正１０】
【補正対象書類名】明細書
【補正対象項目名】００３２
【補正方法】変更
【補正の内容】
【００３２】
請求項７に記載のオブジェクト管理装置は、請求項１乃至６のいずれか１項に記載のオブジェクト管理装置において、帳票を構成する罫線、表題、項目、見出しなどのオブジェクトを編集して帳票を作成する帳票作成装置に適用されたことを特徴とする。
【手続補正１１】
【補正対象書類名】明細書
【補正対象項目名】００３３
【補正方法】変更
【補正の内容】
【００３３】
上記目的を達成するために、請求項８に記載のオブジェクト管理方法は、ページ毎に配置されるオブジェクトをオブジェクトテーブルで管理するオブジェクト管理方法であって、前記オブジェクトにＩＤを付与するＩＤ付与工程と、前記ＩＤが付与されたオブジェクトのフォーマットを記憶するフォーマット記憶工程と、前記ＩＤが付与されたオブジェクトに対応するオブジェクトデータのアドレスを記憶するアドレス記憶工程と、前記付与されたオブジェクトＩＤと、前記オブジェクトＩＤが付与されたオブジェクトに対応する前記記憶されたオブジェクトデータのアドレスと、を対応付けて前記オブジェクトテーブルへ登録するオブジェクト登録工程と、前記記憶されるフォーマットにおけるオブジェクトの属性を、他のページに配置されたオブジェクトと独立であることを示す独立属性、及び他のページに配置されたオブジェクトと共通であることを示す共通属性のいずれか一方に設定するオブジェクト属性設定工程とを有し、前記オブジェクト属性設定工程により共通属性が設定された場合、前記ＩＤ付与工程は、該オブジェクトから派生するセカンダリオブジェクトにＩＤを付与し、前記オブジェクト登録工程は、前記セカンダリオブジェクトＩＤと、前記セカンダリオブジェクトＩＤが付与されたセカンダリオブジェクトの派生元オブジェクトに対応するオブジェクトデータのアドレスと、を対応付けて前記オブジェクトテーブルへ登録することを特徴とする。
上記目的を達成するために、請求項９に記載のコンピュータ読み取り可能な記録媒体は、請求項８に記載のオブジェクト管理方法をコンピュータに実行させるためのプログラムを記録したことを特徴とする。
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】削除
【補正の内容】
【手続補正２１】
【補正対象書類名】明細書
【補正対象項目名】００４３
【補正方法】削除
【補正の内容】
【手続補正２２】
【補正対象書類名】明細書
【補正対象項目名】００４４
【補正方法】削除
【補正の内容】
【手続補正２３】
【補正対象書類名】明細書
【補正対象項目名】００４５
【補正方法】削除
【補正の内容】
【手続補正２４】
【補正対象書類名】明細書
【補正対象項目名】００４６
【補正方法】削除
【補正の内容】
【手続補正２５】
【補正対象書類名】明細書
【補正対象項目名】００４７
【補正方法】削除
【補正の内容】
【手続補正２６】
【補正対象書類名】明細書
【補正対象項目名】００４８
【補正方法】削除
【補正の内容】
【手続補正２７】
【補正対象書類名】明細書
【補正対象項目名】００４９
【補正方法】削除
【補正の内容】
【手続補正２８】
【補正対象書類名】明細書
【補正対象項目名】００５０
【補正方法】削除
【補正の内容】